(57)【要約】      （修正有）【課題】飲料容器の内容積や飲料出口の大きさにかかわらず、容易に容器に固定でき、かつ、容器内に落下させることなく飲料出口に挿入されたストローを支持可能である、ストロー固定部材を提供する。【解決手段】長尺形状の軸部１１と、軸部１１の一方の端部に設けられた、飲料容器に貼着するための粘着面を有する貼着部１２と、軸部１１の他方の端部に設けられた、ストローを貫通させた状態で固定するストロー支持部１３と、を有し、軸部１１と、貼着部１２と、ストロー支持部１３とが、一枚の柔軟なシートにより一体に形成されており、貼着部１２を飲料容器に貼着した状態で、飲料容器内に落下させることなく飲料容器の飲料出口に挿入されたストローを支持可能である、ストロー固定部材。【選択図】図１Ａ
0003180782.tif 000002
【実用新案登録請求の範囲】
【請求項１】
長尺形状の軸部と、
前記軸部の一方の端部に設けられた、飲料容器に貼着するための粘着面を有する貼着部と、
前記軸部の他方の端部に設けられた、ストローを貫通させた状態で固定するストロー支持部と、を有し、
前記軸部と、前記貼着部と、前記ストロー支持部とが、一枚の柔軟なシートにより一体に形成されており、
前記貼着部を前記飲料容器に貼着した状態で、前記飲料容器内に落下させることなく前記飲料容器の飲料出口に挿入されたストローを支持可能である、ストロー固定部材。
【請求項２】
前記ストロー支持部に、前記ストローを貫通させる切れ目が形成されている、請求項１記載のストロー固定部材。
【請求項３】
前記軸部の幅が、前記ストロー支持部および前記貼着部の最大幅よりも小さくなっている、請求項１または２記載のストロー固定部材。
【考案の詳細な説明】
【技術分野】
【０００１】
本考案は、飲料容器にストローを固定するためのストロー固定部材に関する。
【背景技術】
【０００２】
飲料容器内の飲料は、一般的に、飲料容器に直接口を付ける、飲料を他の容器に注ぐ、ストローを使用する、などの方法で飲用される。ストローを使用する場合、飲料容器の飲料出口の径に対してストローの径が小さいと、投入されるストローの位置が安定しにくいことがある。そこで、特許文献１は、飲料缶の飲料出口に、切り込み穴を有するシールを貼り付けて、ストローの位置を固定することを提案している。
【先行技術文献】
【特許文献】
【０００３】
【特許文献１】実開平４−６９０６８号公報
【考案の概要】
【考案が解決しようとする課題】
【０００４】
しかし、特許文献１の提案では、シールと飲料出口との位置合わせが必要であり、扱い易いとはいえない。また、例えば牛乳パックのような上部が屋根型である箱型（いわゆる、ゲーブルトップ型）の飲料容器などは、飲料出口の径が比較的大きいため、シールを飲料出口に貼り付けることは困難である。更に、一般的な大きさのストローは、内容積や飲料出口の大きい飲料容器内に落下するおそれがある。
【０００５】
そこで、本考案は、飲料容器の内容積や飲料出口の大きさにかかわらず、容易に容器に固定でき、かつ、容器内に落下させることなく飲料出口に挿入されたストローを支持可能である、ストロー固定部材を提供することを目的とする。
【課題を解決するための手段】
【０００６】
本考案に係るストロー固定部材は、長尺形状の軸部と、軸部の一方の端部に設けられた、飲料容器に貼着するための粘着面を有する貼着部と、軸部の他方の端部に設けられた、ストローを貫通させた状態で固定するストロー支持部と、を有し、軸部と、貼着部と、ストロー支持部とが、一枚の柔軟なシートにより一体に形成されており、貼着部を飲料容器に貼着した状態で、飲料容器内に落下させることなく飲料容器の飲料出口に挿入されたストローを支持可能である。
【０００７】
本考案に係るストロー固定部材においては、ストロー支持部に、ストローを貫通させる切れ目が形成されていることが好ましい。
軸部の幅は、ストロー支持部および貼着部の最大幅よりも小さくなっていることが好ましい。
【考案の効果】
【０００８】
本考案によれば、飲料容器の内容積や飲料出口の大きさにかかわらず、容易に容器に固定でき、かつ、容器内に落下させることなく飲料出口に挿入されたストローを支持可能である、ストロー固定部材を提供することができる。
【図面の簡単な説明】
【０００９】
【図１Ａ】本考案の一実施形態に係るストロー固定部材の構成を概略的に示す上面図である。
【図１Ｂ】同ストロー固定部材の背面図である。
【図１Ｃ】同ストロー固定部材のストローを支持した状態における断面図である。
【図２】ストロー固定部材の具体的な使用方法の一例を示す概略図である。
【図３Ａ】本考案の他の実施形態に係るストロー固定部材の構成を概略的に示す上面図である。
【図３Ｂ】本考案の更に他の実施形態に係るストロー固定部材の構成を概略的に示す上面図である。
【考案を実施するための形態】
【００１０】
図１Ａは、本考案の一実施形態に係るストロー固定部材の構成を概略的に示す上面図である。図１Ｂはストロー固定部材の背面図であり、図１Ｃはストロー固定部材のストローを支持した状態における断面図である。本考案に係るストロー固定部材１は、長尺形状の軸部１１と、軸部の一方の端部に設けられた貼着部１２と、軸部の他方の端部に設けられたストロー支持部１３と、を有する。貼着部１２は、ストロー固定部材１を飲料容器に固定するための粘着面１２ａを有する。粘着面１２ａは、ストロー１４を飲料出口に固定できる範囲であれば、飲料容器の任意の場所に貼着できる。ストロー支持部１３は、ストロー１４を貫通させた状態で固定する機能を有する。
【００１１】
本考案に係るストロー固定部材１においては、図１に示すように、ストロー支持部１３の略中央部に、ストロー１４を貫通させる切れ目１３ａが形成されていることが好ましい。これにより、ストロー１４をストロー支持部１３に貫通させることが容易となる。また、ストロー支持部にストローを貫通させる穴を形成してもよい。あるいは、ストロー支持部に薄肉部を形成し、薄肉部を破断させてストローを貫通させてもよい。
【００１２】
本形態のストロー固定部材は、軸部１１が略短冊状である。この場合、貼着部１２の重心と、ストロー支持部１３の重心とを、軸部１１の長手方向に延びる中心線で結ばれるように配することが好ましい。これにより、ストロー１４をより安定した状態で固定し易くなる。
【００１３】
本考案において、軸部１１と、貼着部１２と、ストロー支持部１３とは、一枚の柔軟なシートにより一体に形成されている。これにより、ストロー固定部材１を安価かつ容易に作製することができる。軸部１１と、貼着部１２と、ストロー支持部１３とが、一枚の柔軟なシートにより一体に形成されているため、貼着部１２を飲料容器に貼着した状態でも、軸部１１が様々な方向に屈曲可能であり、よって、ストローを飲料容器の飲料出口に挿入することも容易である。
【００１４】
本考案の一実施形態に係るストロー固定部材の使用方法について、図２を参照しながら説明する。なお、図２においては、ゲーブルトップ型の飲料容器に対してストロー固定部材を適用しているが、本考案に係るストロー固定部材は、このような形状の飲料容器に限定されず、直方体の箱型、瓶、缶などの種々の飲料容器に対して好適に用いることができる。飲料容器の材質も特に限定されず、上記の紙の他に、アルミニウム、スチール、ポリエチレンテレフタラート（ＰＥＴ）、ガラスなどが挙げられる。
【００１５】
図２に示す飲料容器２１は、飲料出口２２が開封された状態である。図２では、飲料容器２１の側面に、ストロー固定部材１の貼着部１２の粘着面を貼着した状態を示している。なお、貼着部１２を貼着する位置は、軸部１１を屈曲させたときに、ストロー支持部１３が飲料出口２２に届く範囲であれば、任意の位置とすることができる。そして、ストロー１４をストロー支持部１３に貫通させて固定する。軸部１１は柔軟性を有するため、これを任意の方向に屈曲させることにより、ストロー１４が飲料容器２１の飲料出口２２に挿入される。これにより、ストロー１４が飲料容器２１の飲料出口２２に挿入された状態で支持されるため、飲料容器２１内にストロー１４が落下することを防ぐことができる。
【００１６】
軸部１１の幅は、ストロー支持部１３および貼着部１２の最大幅よりも小さくなっていることが好ましい。これにより、軸部１１がより屈曲しやすくなり、ストロー１４を飲料容器２１の飲料出口２２に挿入することが更に容易となる。また、使用者の邪魔になりにくく、ストロー固定部材１の良好な携帯性を確保することができる。軸部１１の幅は、例えば２〜１０ｍｍであることが好ましい。ただし、図３Ａに示すように、ストロー固定部材１において、軸部１１、貼着部１２およびストロー支持部１３の最大幅が略同一であってもよい。
【００１７】
ストロー支持部１３の最大幅は、ストロー１４を貫通させた状態で固定することができる範囲であれば特に限定されないが、例えば１０〜３０ｍｍであることが好ましい。ストロー支持部１３の最大幅を１０ｍｍ以上とすることで、ストロー１４を貫通させても、十分な強度を確保することができる。ストロー支持部１３の最大幅を３０ｍｍ以下とすることで、ストロー固定部材１の良好な外観と携帯性とを確保することができる。ストロー固定部材１の携帯性を確保することで、使用者がストロー固定部材１を持ち歩くことや、あらかじめストロー固定部材１を飲料容器２１に貼着した状態で飲料を販売することが容易となる。
【００１８】
貼着部１２の最大幅は、飲料容器２１から脱落しないように貼着できる面積を有すれば特に限定されないが、例えば５〜２０ｍｍである。貼着部１２の最大幅を５ｍｍ以上とすることで、粘着面１２ａの面積を十分に確保できるため、ストロー固定部材１を十分な強度で飲料容器２１に貼着することができる。貼着部１２の最大幅を２０ｍｍ以下とすることで、ストロー固定部材１の良好な携帯性を確保することができる。
ストロー固定部材１のデザイン性および扱いやすさの観点から、ストロー支持部１３の最大幅は、貼着部１２の最大幅よりも大きいことが好ましい。更に、ストロー支持部１３の最大幅を貼着部１２の最大幅よりも大きくすることで、粘着面１２ａに付着させる粘着剤の量が過剰となることを防ぐことができる。
【００１９】
ストロー固定部材１の長手方向の寸法は、４０〜１００ｍｍであることが好ましい。ストロー固定部材１の長手方向の寸法を４０ｍｍ以上とすることで、貼着部１２を飲料容器２１に貼着した状態で、ストロー１４を飲料容器２１の飲料出口２２に挿入するのに十分な長さを確保することができる。また、ストロー固定部材１の長手方向の寸法を１００ｍｍ以下とすることで、扱いやすく、またストロー固定部材１の携帯性を確保することができる。
【００２０】
ストロー固定部材１の厚さは、２５〜２００μｍであることが好ましい。これにより、ストロー固定部材１の柔軟性と強度とを両立することができる。
【００２１】
長尺形状の軸部１１の形状は、任意の方向に屈曲可能であり、ストロー１４を飲料容器２１の飲料出口２２に挿入しやすい形状であればよく、特に限定されない。例えば、図３Ｂに示すように、軸部１１が屈曲した形状であってもよく、長手方向の辺に沿って突出部またはくびれを有する形状であってもよい。
【００２２】
貼着部１２およびストロー支持部１３の平面形状は特に限定されず、例えば、略矩形、略円形、多角形等が挙げられる。貼着部１２およびストロー支持部１３の機能を損なわない範囲であれば、デザイン性を考慮して、花形状等の任意の形状としてもよい。
【００２３】
ストロー固定部材１を形成するシートとしては、柔軟性および強度を十分に有し、かつ低コストである観点から、ポリエステル、ポリエチレンテレフタラート（ＰＥＴ）、ポリ塩化ビニル等の樹脂製のシート、フィルム、紙等を用いることが好ましい。シートは単独の層からなるものであってもよく、複数の層を含むものであってもよい。
【００２４】
貼着部１２の粘着面に付着させる粘着剤は、任意の飲料容器に対して十分な粘着性を発揮するものを適宜使用すればよい。具体的には、デンプン、天然ゴム、アクリル樹脂、ウレタン樹脂等を主成分とする粘着剤が挙げられる。
【産業上の利用可能性】
【００２５】
本考案に係るストロー固定部材は、アルミニウムやスチールの缶、紙製容器、ペットボトル、ビンなどの種々の飲料容器に対して、使用することができる。
【符号の説明】
【００２６】
１      ストロー固定部材
１１    軸部
１２    貼着部
１２ａ  粘着面
１３    ストロー支持部
１３ａ  切れ目
１４    ストロー
２１    飲料容器
２２    飲料出口
【図１Ａ】
0003180782.tif 000003
【図１Ｂ】
0003180782.tif 000004
【図１Ｃ】
0003180782.tif 000005
【図２】
0003180782.tif 000006
【図３Ａ】
0003180782.tif 000007
【図３Ｂ】
0003180782.tif 000008